(57)【特許請求の範囲】
【請求項１】
コネクタと、前記コネクタ内にスライド自在に設けられたスライダと、を備え、
相手コネクタが前記コネクタ内に進入すると、前記スライダが、前記相手コネクタに設けられた突起部に当接して前記相手コネクタの進入方向に押し込まれ、さらに進入して前記相手コネクタ及び前記コネクタが嵌合すると前記突起部との当接が解除されて前記進入方向と逆方向に戻されるコネクタ構造であって、
前記コネクタ内には、前記進入方向と逆方向に延びるコネクタアームが設けられ、
前記スライダは、前記コネクタ内に設けられた状態で、前記コネクタアームと同じ方向に延びるアーム部と、前記アーム部の先端に設けられて前記突起部に当接するスライダ当接部と、を有し、
前記アーム部が、当該アーム部の先端部側に向かうに従って前記コネクタアーム側に傾斜する第１傾斜部と、第１傾斜部よりも前記アーム部の先端部側に設けられ、前記第１傾斜部よりも更に急勾配に傾斜する第２傾斜部と、を有し、
前記コネクタアームは、前記相手コネクタが前記コネクタ内に進入すると、前記第１傾斜部及び前記第２傾斜部に順次接触して、前記アーム部を撓ませて前記突起部との当接を解除するように構成されていることを特徴とするコネクタ構造。
【請求項２】
前記スライダを前記進入方向と逆方向に付勢するコイル状の圧縮ばねを備え、
前記コネクタは、前記圧縮ばねを収容するばね収容部を備え、
前記ばね収容部は、周方向の両端部が離隔したＣ字状に設けられ、
前記両端部の離隔寸法は、前記圧縮ばねの直径よりも小さい寸法となるように形成されていることを特徴とする請求項１に記載のコネクタ構造。
【発明の詳細な説明】
【技術分野】
【０００１】
本発明は、コネクタ構造に関する。
【背景技術】
【０００２】
上述したコネクタ構造として、コネクタと、コネクタ内にスライド自在に設けられたスライダと、を備えたものが開示されている。スライダは、コネクタ内に相手コネクタが進入すると、相手コネクタに当接して当該相手コネクタの進入方向に押し込まれる。相手コネクタがさらに進入して相手コネクタ及びコネクタが嵌合すると、スライダと相手コネクタとの当接が解除されて、スライダが進入方向と逆方向に戻される。コネクタ構造は、スライダの位置により、半嵌合か完全嵌合かが検知されるように構成されている（例えば、特許文献１参照。）。
【０００３】
特許文献１に開示された従来のコネクタ構造は、図１０に示すように、スライダ１０４に設けられた当接突起１４１を有する当接アーム１４０と、コネクタ１０２に設けられて当接アーム１４０を撓ませるガイド部１２１と、を備えている。このような従来のコネクタ構造は、相手コネクタ１０３がコネクタ１０２内に進入すると、相手コネクタ１０３に設けられた当接突起１３１が当接突起１４１に当接して、スライダ１０４が相手コネクタ１０３の進入方向と逆方向に戻される。この後、スライダ１０４の当接突起１４１がガイド部１２１に乗り上げて、当接アーム１４０が撓んで両当接突起１３１、１４１の当接が解除されるように構成されている。
【０００４】
このような従来のコネクタ構造にあっては、両当接突起１３１、１４１の係止の強度は、当接アーム１４０の撓み量の影響を受ける。つまり、係止の強度が高くなるように当接アーム１４０を設計すると、解除の際に当接アーム１４０を大きく撓ませなければならず、係止解除が容易ではない。また、係止解除が容易になるように当接アーム１４０を設計すると、両当接突起１３１、１４１の係止が浅くなり、係止の強度が低下する。即ち、従来では、従来のコネクタ構造及び相手コネクタの係止の強度を高くすることと、係止解除を容易にすることとの両立を図るのが難しかった。
【先行技術文献】
【特許文献】
【０００５】
【特許文献１】特開２００１−３２６０３２号公報
【発明の概要】
【発明が解決しようとする課題】
【０００６】
本発明は、相手コネクタとの係止の強度を高くすることと、係止解除を容易にすることとの両立を図ったコネクタ構造を提供する。
【課題を解決するための手段】
【０００７】
上記目的を解決するために本発明は以下の構成を備える。
即ち、請求項１に記載の本発明は、コネクタと、前記コネクタ内にスライド自在に設けられたスライダと、を備え、相手コネクタが前記コネクタ内に進入すると、前記スライダが、前記相手コネクタに設けられた突起部に当接して前記相手コネクタの進入方向に押し込まれ、さらに進入して前記相手コネクタ及び前記コネクタが嵌合すると前記突起部との当接が解除されて前記進入方向と逆方向に戻されるコネクタ構造であって、前記コネクタ内には、前記進入方向と逆方向に延びるコネクタアームが設けられ、前記スライダは、前記コネクタ内に設けられた状態で、前記コネクタアームと同じ方向に延びるアーム部と、前記アーム部の先端に設けられて前記突起部に当接するスライダ当接部と、を有し、前記アーム部が、当該アーム部の先端部側に向かうに従って前記コネクタアーム側に傾斜する第１傾斜部と、第１傾斜部よりも前記アーム部の先端部側に設けられ、前記第１傾斜部よりも更に急勾配に傾斜する第２傾斜部と、を有し、前記コネクタアームは、前記相手コネクタが前記コネクタ内に進入すると、前記第１傾斜部及び前記第２傾斜部に順次接触して、前記アーム部を撓ませて前記突起部との当接を解除するように構成されていることを特徴とするコネクタ構造である。
【０００８】
請求項２に記載された発明は、請求項１に記載された本発明において、前記スライダを前記進入方向と逆方向に付勢するコイル状の圧縮ばねを備え、前記コネクタは、前記圧縮ばねを収容するばね収容部を備え、前記ばね収容部は、周方向の両端部が離隔したＣ字状に設けられ、前記両端部の離隔寸法は、前記圧縮ばねの直径よりも小さい寸法となるように形成されていることを特徴とする。
【発明の効果】
【０００９】
請求項１に記載された発明によれば、相手コネクタのコネクタ内への進入に伴って、相手コネクタの突起部に、スライダに設けられたスライダ当接部が当接し、さらに進入するに伴って、突起部によりスライダが進入反対方向側に押し戻され、スライダに設けられたアーム部の第１傾斜部にコネクタアームが接触する。ここで、第２傾斜部は第１傾斜部に比して更に急勾配な傾斜となるように設けられているから、コネクタアームが第１傾斜部に接触した後に、さらに進入することで、第１傾斜部の傾斜に沿ってアーム部を撓ませ、この後、第２傾斜部の傾斜に沿って、アーム部をさらに大きく撓ませる。このようにアーム部を第１傾斜部及び第２傾斜部の傾斜に沿って、順次効率よく撓ませることができるから、相手コネクタの突起部とスライダのスライダ当接部との係止強度を高くしても、第１傾斜部及び第２傾斜部によりアーム部を小さな力で撓ませて係止解除できる。このため、相手コネクタとの係止の強度を高くすることと、係止解除を容易にすることとの両立を図ることができる。
【００１０】
請求項２に記載された発明によれば、スライダを進入方向と逆方向に付勢するコイル状の圧縮ばねを備え、コネクタは、圧縮ばねを収容するばね収容部を備え、ばね収容部は、周方向の両端部が離隔したＣ字状に設けられ、両端部の離隔寸法は、圧縮ばねの直径よりも小さい寸法となるように形成されているから、圧縮ばねのばね収容部からの脱落が抑制されて、圧縮ばねが安定性よく収容される。
【図面の簡単な説明】
【００１１】
【図１】本発明の一実施の形態にかかるコネクタ構造及びコネクタ構造に嵌合する相手コネクタを示す斜視図である。
【図２】（Ａ）は、コネクタ構造を雄コネクタ側から見た平面図であり、（Ｂ）は、（Ａ）の要部拡大図である。
【図３】コネクタ構造を構成する雌ハウジングに圧縮ばねが収容された状態を示す図であり、雌ハウジングの一部の断面を示す斜視図である。
【図４】コネクタ構造を構成するスライダにより圧縮ばねが圧縮された様子を示す断面図である。
【図５】コネクタ構造の雌コネクタ内に雄コネクタが進入を開始させたときのコネクタ構造の断面図である。
【図６】雄コネクタを図５よりもさらに進入させたときのコネクタ構造の断面図である。
【図７】雄コネクタを図６よりもさらに進入させたときのコネクタ構造の断面図であり、図６とは別の場所の断面図である。
【図８】（Ａ）は、雄コネクタを図６よりもさらに進入させたときのコネクタ構造の断面図であり、（Ｂ）は、（Ａ）の要部拡大図である。
【図９】雌コネクタ及び雄コネクタが嵌合したときのコネクタ構造の断面図である。
【図１０】特許文献１に記載の従来のスライド構造を示す断面図である。
【発明を実施するための形態】
【００１２】
本発明の一実施の形態に係るコネクタ構造を、図１〜図９を参照して説明する。図１等に示すように、コネクタ構造１０は、コネクタとしての雌コネクタ１と、雌コネクタ１内にスライド自在に設けられたスライダ２と、スライダ２を相手コネクタとしての雄コネクタ３（相手コネクタ）側に付勢する一対の圧縮ばね４と、を備えて構成されている。
【００１３】
雌コネクタ１は、雌端子１１と、雌端子１１、スライダ２及び一対の圧縮ばね４を収容する雌ハウジング１２と、を備えて構成されている。雌端子１１は、導電部材から構成され、後述する雄コネクタ３の雄端子３１に電気的に接続される周知の雌端子である。
【００１４】
雌ハウジング１２は、絶縁性の合成樹脂から構成され、雌端子１１が収容される端子収容部６と、雄コネクタ３の進入方向Ｙ１を軸として軸周りに囲む筒状のフード部７と、雄コネクタ３との嵌合状態を維持するためのロックアーム部８（コネクタアーム）と、を一体に備えて構成されている。
【００１５】
ここで、図１等に示す矢印Ｙ、Ｘ、Ｚは互いに直交する方向を示す。以下の説明では、図１に示す矢印Ｙ（前後方向）は、雄コネクタ３の雌コネクタ１への進入方向Ｙ１、及び進入反対方向Ｙ２を示している。図１において、矢印Ｙのうち雌ハウジング１２の左下側（進入反対方向Ｙ２側）を「前方」と記し、右上側（進入方向Ｙ１側）を「後方」と記す場合がある。また、矢印Ｘは、矢印Ｙに対して直交する一方向（左右方向）である。矢印Ｚは、矢印Ｙと矢印Ｘとの双方に対して直交する方向（上下方向）であり、雌コネクタ１の雌側アーム８１やスライダアーム２３（アーム部）の可撓方向を示している。
【００１６】
端子収容部６は、図１に示すように、前後方向Ｙに沿って貫通した複数の端子収容室（符号を省略する）が設けられ、当該端子収容室内にそれぞれ雌端子１１が収容されている。フード部７には、その中心軸側に端子収容部６が設けられ、端子収容部６とフード部７との間に、雄コネクタ３が進入される雄コネクタ収容室７Ａと、スライダ２が収容されるスライダ収容室７Ｂと、スライダ２を前端側（反進入方向Ｙ２側）に付勢する圧縮ばね４が収容されるばね収容室７Ｃ（ばね収容部）と、がそれぞれ設けられている。雄コネクタ収容室７Ａは、フード部７内において端子収容部６周りの空間である。スライダ収容室７Ｂは、雄コネクタ収容室７Ａの上方側に設けられている。また、ばね収容室７Ｃは、フード部７内における雄コネクタ収容室７Ａの上方側の空間のうち、フード部７内の前方側にある左右両側の空間のことである。ばね収容室７Ｃは、前方側に開口を有し、圧縮方向が前後方向Ｙに沿うように当該圧縮ばね４を収容する。
【００１７】
フード部７は、図１、４に示すように、上壁７１と、左右の側壁７２と、これら側壁７２同士を連結する下壁７３と、を有して筒状に形成されている。上壁７１と各側壁７２との間の隅部には、Ｃ字状の内壁７４と、内壁７４の後端を塞ぐ塞ぎ壁７５（図４に示す）と、が設けられている。
【００１８】
上壁７１において、スライダ収容室７Ｂを構成する一部は、図１に示すように、前後方向Ｙの略中間部から後端まで切り欠かれて形成された後端面（以下、当接端面７１ａと記す）に、スライダ２に設けられた位置決め突起２４（後述する）が当接するように構成されている。また、上壁７１の一部が切り欠かれていることで、スライダ収容室７Ｂに収容されたスライダ２の操作部２６（後述する）が外部に露出されている。
【００１９】
内壁７４は、図２（Ａ）（Ｂ）に示すように、フード部７の前端から後端側まで延在形成されている。また、内壁７４は、圧縮ばね４の外周面と略同じ（正確には、僅かに大きな）曲率を有する曲面から構成されているとともに、周方向の両端部に間隙を有して形成されている。即ち、内壁７４の内径寸法は、圧縮ばね４の直径寸法と略等しいか、僅かに大きい寸法となるように形成されている。そして、内壁７４における間隙の上下寸法Ｌは、圧縮ばね４の直径寸法よりも小さい寸法となるように形成されている。
【００２０】
この内壁７４内には、図３、４に示すように、後方側にばね収容室７Ｃが設けられている。このようなばね収容室７Ｃが設けられていることで、圧縮ばね４のばね収容室７Ｃからの脱落が抑制されて、圧縮ばね４が安定性よく収容される。また、内壁７４内のばね収容室７Ｃに圧縮ばね４が収容され、圧縮ばね４の前端にばね当接部２２（後述する）が当接するようにスライダ２が収容されている。こうしてスライダ２は、雌ハウジング１２内において、圧縮ばね４の弾性力によって前方側に付勢されている。
【００２１】
ロックアーム部８は、図５に示すように、左右方向Ｘに離間して並べて設けられた一対の雌側アーム８１と、これらの間に架け渡されるとともに左右方向Ｘに沿って設けられる雌側ロック８２と、を一体に備えて構成されている。雌側ロック８２は、雄コネクタ３の雄側ロック３３にロックするように構成されている。雌側ロック８２は、各雌側アーム８１の先端よりも基端側（後方側）に離間した位置に設けられている。
【００２２】
一対の雌側アーム８１は、図５に示すように、それぞれ、端子収容部６の上面から立ち上がり、前後方向Ｙにおいて前端に向けて長尺状に延在している。各雌側アーム８１は、先端部が自由端となる片持ち構造に設けられ、上下方向Ｚに可撓に設けられている。一対の雌側アーム８１において、左右外側でかつ下側の隅部は、後述するスライダ２の案内部２７に沿って摺動するように形成されている。また、雌側アーム８１の先端部８１Ａには、スライダ２の案内部２７の傾斜に沿ったテーパが形成されている。各雌側アーム８１は、案内部２７の傾斜に沿って上方に撓み、これにより持ち上げられた雌側ロック８２がスライダアーム２３の第１傾斜面２３Ｃに接触するように構成されている。
【００２３】
スライダ２は、図１、５に示すように、略帯板状のスライダ本体２１と、スライダ本体２１の長手方向（前後方向Ｙ）の前方側において左右の両側に張り出して圧縮ばね４に当接する一対のばね当接部２２と、を一体に備えて、上面視がＴ字状に形成されている。スライダ本体２１には、雌側アーム８１と同じ方向（前後方向Ｙ）に延びるスライダアーム２３（アーム部）と、雌コネクタ１の当接端面７１ａに当接する位置決め突起２４と、雌側ロック８２をロック位置で上から押さえるロック押さえ部２５（図５に示す）と、操作部２６と、が設けられている。スライダ本体２１には、スライダアーム２３、位置決め突起２４、操作部２６の順で進入方向Ｙ１に並んで設けられている。ロック押さえ部２５は、位置決め突起２４の下方側において、下方に突出して設けられている。
【００２４】
さらに、スライダ本体２１には、スライダアーム２３の左右の両側に、雌側アーム８１が上方に可撓するように案内する案内部２７が設けられている。案内部２７は、スライダ本体２１において、上下方向Ｚに貫通した長孔の内縁から下方に立設するとともに前後方向Ｙに延在する板状の立設板２７Ａと、立設板２７Ａの内面に段差２７Ｃ（図５に示す）を形成するように当該内面から突出する板状部２７Ｂと、を有して構成されている。段差２７Ｃは、前方に向かうに従って上方に向けて傾斜して設けられている。このような段差２７Ｃが形成されていることにより、雌側アーム８１が段差２７Ｃを乗り上げて撓むことで、雌側ロック８２がスライダアーム２３の第１傾斜面２３Ｃ及び第２傾斜面２３Ｄに順次接触して当該スライダアーム２３を撓ませて、スライダ２のスライダ当接部２３Ａと雄コネクタ３の雄側当接突起３４との当接（係止）を解除する。
【００２５】
スライダアーム２３は、スライダ本体２１の左右方向の中央に位置し、前後方向Ｙに沿って長尺状に延在するとともに、前端側が自由端（先端部）となる片持ち構造に設けられたものである。このスライダアーム２３は、上下方向Ｚに可撓に設けられている。スライダアーム２３は、その前面に、雄側当接突起３４するスライダ当接部２３Ａを有している。スライダ当接部２３Ａは、前後方向Ｙに直交する垂直面から構成されている。
【００２６】
さらに、スライダアーム２３における下面には、基端側（後端側）の所定面２３Ｂと、この所定面２３Ｂよりも前方側に設けられて、雌側ロック８２が摺動（接触）する第１傾斜面２３Ｃと、第１傾斜面２３Ｃよりも前方側に第２傾斜面２３Ｄと、が設けられている。所定面２３Ｂは、スライダアーム２３に外力が作用しない自然状態において、前後方向Ｙ及び左右方向Ｘに沿って設けられている。第１傾斜面２３Ｃは、前方に向かうに従って下方に傾斜するように形成され、第２傾斜面２３Ｄは、第１傾斜面２３Ｃよりも更に急勾配となるように傾斜して設けられている。第１傾斜面２３Ｃの所定面２３Ｂに対する傾斜角度と、第２傾斜面２３Ｄの第１傾斜面２３Ｃに対する傾斜角度は、略等しい傾斜角度となるように形成されている。このような所定面２３Ｂ、第１傾斜面２３Ｃ及び第２傾斜面２３Ｄが設けられていることで、所定面２３Ｂと第１傾斜面２３Ｃとの境界位置や、第１傾斜面２３Ｃと第２傾斜面２３Ｄとの境界位置で、大きな力を要せずともスライダアーム２３を順次撓ませることができる。
【００２７】
操作部２６は、作業者が指で押してスライダ２を前後方向Ｙの後方側にスライドさせて、コネクタ嵌合を解除するためのものであり、後方に向かうに従って上方への突出量が大きくなる階段状に設けられている。
【００２８】
圧縮ばね４は、例えば周知のコイルばねであり、図４に示すように、一端が塞ぎ壁７５に当接し、他端がスライダ２のばね当接部２２に当接するように、ばね収容室７Ｃに収容されている。これにより圧縮ばね４は、スライダ２を前端側に向けて付勢している。
【００２９】
次に、このコネクタ構造１０に嵌合される雄コネクタ３の構造について図１、５を参照して説明する。雄コネクタ３は、雄端子３１と、雄ハウジング３２と、を備えて構成されている。雄端子３１は、導電部材から構成され、雌端子１１に電気的に接続される周知の雄端子である、雄ハウジング３２は筒状に形成されていて、内部に雄端子３１を収容する。雄ハウジング３２には、雌側ロック８２にロックする雄側ロック３３と、雄側ロック３３の進入反対方向Ｙ２側（前方側）にてスライダ当接部２３Ａに当接する雄側当接突起３４と、が設けられている。
【００３０】
次に、上述した構成の雌コネクタ１と雄コネクタ３との嵌合動作の一例について図５〜９を参照して説明する。雌コネクタ１と雄コネクタ３とが嵌合していない状態では、図５に示すように、スライダ２は雌コネクタ１内で圧縮ばね４により前方側に付勢され、スライダ２はその位置決め突起２４と雌ハウジング１２の当接端面７１ａとが当接する初期位置にある。
【００３１】
嵌合動作を開始すると、図６に示すように、雄コネクタ３が雌コネクタ１の雄コネクタ収容室７Ａに進入し、雄コネクタ３の雄側当接突起３４がスライダ当接部２３Ａに当接（係止）する。さらに進入して嵌合が進むと、当接状態を保ちながら、スライダ２が圧縮ばね４を圧縮させつつ、後方側にスライド移動する。この後、図７、図８（Ａ）（Ｂ）に示すように、雌側アーム８１が、スライダ２の案内部２７を摺動する（接触する）。すると、雌側アーム８１が撓んで案内部２７を乗り上げ、これにより、雌側ロック８２が持ち上がって、雄コネクタ３の雄側ロック３３の上方側を通過する。なお、図７において、雌側ロック８２は省略されている。
【００３２】
さらに進入して嵌合が進むと、図８（Ａ）（Ｂ）に示すように、雌側ロック８２がスライダアーム２３の第１傾斜面２３Ｃに接触する。この状態で、さらに進入することで、雌側ロック８２が第１傾斜面２３Ｃの傾斜に沿って摺動しつつ、スライダアーム２３を上方に撓ませる。さらに進入することで雌側ロック８２が第２傾斜面２３Ｄの傾斜に沿って摺動しつつ、スライダアーム２３を上方にさらに撓ませることで、スライダ当接部２３Ａが雄側当接突起３４に対して上方に移動して、スライダ当接部２３Ａと雄側当接突起３４との当接（係止）が解除される。この際、雌側ロック８２は、雄コネクタ３の雄側ロック３３よりも上方側にて、進入反対方向Ｙ２側（前方側）に位置している。スライダ当接部２３Ａと雄側当接突起３４との当接（係止）が解除されると、圧縮ばね４の付勢力により、スライダ２が前方側にスライド移動する。
【００３３】
スライダ２の前方側へのスライド移動に伴って、雌側アーム８１のスライダ２の案内部２７に対する接触が解除され、雌側アーム８１が自然状態に復元する。こうして、雌側ロック８２が、雄コネクタ３の雄側ロック３３にロックする。この際、スライダ２は、位置決め突起２４がコネクタの当接端面７１ａに当接する初期位置に位置し、ロック押さえ部２５は、雌側ロック８２の上方側に位置している。ロック押さえ部２５が雌側ロック８２を上から押さえることにより、雌側ロック８２の上下の移動が抑制され、雌側ロック８２の雄側ロック３３へのロックの解除が抑制されている。こうして、雌コネクタ１と雄コネクタ３とは嵌合状態となる。
【００３４】
上述した実施形態によれば、雄コネクタ３（相手コネクタ）の雌コネクタ１（コネクタ）内への進入に伴って、雄コネクタ３の雄側当接突起３４（突起部）に、スライダ２に設けられたスライダ当接部２３Ａが当接し、さらに進入するに伴って、雄側当接突起３４によりスライダ２が進入反対方向Ｙ２側（後方）に押し戻され、スライダアーム２３（アーム部）の第１傾斜面２３Ｃ（第１傾斜部）に雌側ロック８２（コネクタアーム）が接触する。ここで、第２傾斜面２３Ｄ（第２傾斜部）は第１傾斜面２３Ｃに比して急勾配な傾斜となるように設けられているから、雌側ロック８２が第１傾斜面２３Ｃに接触した後に、さらに進入することで、第１傾斜面２３Ｃの傾斜に沿ってスライダアーム２３を撓ませ、この後、第２傾斜面２３Ｄの傾斜に沿って、スライダアーム２３をさらに大きく撓ませる。このようにスライダアーム２３を第１傾斜面２３Ｃ及び第２傾斜面２３Ｄの傾斜に沿って、順次効率よく撓ませることができるから、雄コネクタ３の雄側当接突起３４とスライダ２のスライダ当接部２３Ａとの係止強度を高くしても、第１傾斜面２３Ｃ及び第２傾斜面２３Ｄによりスライダアーム２３を小さな力で撓ませて係止解除できる。このため、雄コネクタ３との係止の強度を高くすることと、係止解除を容易にすることとの両立を図ることができる。
【００３５】
なお、上述した実施形態では、第１傾斜面２３Ｃ（第１傾斜部）及び第２傾斜面２３Ｄ（第２傾斜部）に順次接触して、スライダアーム２３（アーム部）を撓ませる部材として、雌側ロック８２が設けられているが、本発明はこれに限定されるものではない。雌側アーム８１の先端部８１Ａが、第１傾斜面２３Ｃ及び第２傾斜面２３Ｄに順次接触して、スライダアーム２３を撓ませてもよい。
【００３６】
上述した実施形態は本発明の代表的な形態を示したに過ぎず、本発明は、実施形態に限定されるものではない。即ち、当業者は、従来公知の知見に従い、本発明の骨子を逸脱しない範囲で種々変形して実施することができる。かかる変形によってもなお本発明のコネクタ構造の構成を具備する限り、勿論、本発明の範疇に含まれるものである。
【符号の説明】
【００３７】
１        雌コネクタ（コネクタ）
２        スライダ
３        雄コネクタ（相手コネクタ）
４        圧縮ばね
１０      コネクタ構造
２３      スライダアーム（アーム部）
２３Ａ    スライダ当接部
２３Ｃ    第１傾斜面（第１傾斜部）
２３Ｄ    第２傾斜面（第２傾斜部）
３４      雄側当接突起（突起部）
８        ロックアーム部（コネクタアーム）
Ｌ        周方向の両端部の離間寸法
【図１】
0006265383.tif 000002
【図２】
0006265383.tif 000003
【図３】
0006265383.tif 000004
【図４】
0006265383.tif 000005
【図５】
0006265383.tif 000006
【図６】
0006265383.tif 000007
【図７】
0006265383.tif 000008
【図８】
0006265383.tif 000009
【図９】
0006265383.tif 000010
【図１０】
0006265383.tif 000011